(57)【要約】【課題】警棒の使用者が腰のベルトに装着しての歩行中或いは立番の場合等には何等の問題も存しないのであるが、例えば緊急自動車等に乗車時、つまり腰を下ろした状態においては、警棒ケースの長手方向の下方部が座席の表面に当接し、極めて座り心地が悪く、長時間の乗車時にあっては、該警棒を抜脱する等の課題を有した。【解決手段】伸縮警棒用ケースを現況のように垂直方向に固定された状態で使用する或いは着席時に抜脱することなく当該警棒用ケースを水平方向に半回動させることによって使い勝手の良い伸縮警棒用ケースを得ることを手段とするものである。【選択図】　　図１
0003099053.tif 000002
【実用新案登録請求の範囲】
【請求項１】
伸縮警棒の収納ケースであって、
該警棒を縮小携帯収納するケースの垂直長手方向の下方部位が上方部位を固定された状態で下方部位が左右の水平方向にまで段階的に自在に摺動半回動し支承される警棒用半回動ケース。
【考案の詳細な説明】
【０００１】
【考案の属する技術分野】
本考案は要人の警護、保安任務等に携わる警備要員が携帯して自己の身体を護るために用いる警棒の携帯用ケースに関する。
【０００２】
【従来の技術】
従来から、この種のケース（容器）は、数多く開発され使用されている、又本出願人が意匠登録第７７２０５６号、特願平５−１７１９７４号等で開示し、現在広く使用されていることは周知である。
【０００３】
【考案が解決しようとする課題】
上述のように従来のケース体においては、警棒を縮小し身体の腰のベルトに挿着、或いは私服の場合等にあっては拳銃と同様に上衣の下部の襷掛けケースに収納されて用いられている。
【０００４】
上記の状態においては何らの課題も存しないのであるが前述の如く警棒の使用者が腰のベルトに装着しての歩行中或いは立番の場合等には何等の問題も存しないのであるが、例えば緊急自動車等に乗車時、つまり腰を下ろした状態においては、警棒ケースの長手方向の下方部が座席の表面に当接し、極めて座り心地が悪く、長時間の乗車時にあっては、該警棒を抜脱する等の課題を有した。
【０００５】
【課題を解決するための手段】
上述のように広汎に用いられている伸縮警棒用ケースを現況のように垂直方向に固定された状態で使用する或いは着席時に抜脱することなく当該警棒用ケースを水平方向に半回動させることによって使い勝手の良い伸縮警棒用ケースを得ることを手段とするものである。
【０００６】
【実施例】
以下、添付図面に基づいて一実施例を説明する。
図１に実線で示すように、本件伸縮警棒用ケース（１）は使用者の腰のベルトに挿着して用いられる為に垂直方向にベルトに固着されていた。
本考案の警棒用半回動ケース体にあっては、同図に破線（点線）及び実線で示すように段階的に半回動する構成としたものであり、回動する状態を説明のため表した一部を省略した正面説明図である。
図２は、当該ケース体の上方部位（２）と下方部位（３）の合体状態の側面を一部断面で表した説明図である。
上方部位（２）の最上部（４）に閉鎖自在としたベルト通し（５）を鋲着して設ける。次に上方部位（２）の下端部（６）に下方部位（３）が左右に二段階に半回転状に可動支承する枢支部材（７）を固設する。該枢支部材（７）と下方部位（３）の上端部（８）の裏面に設けた枢支部材（７）の他面を連接させ一体のケース体をを形成する。
即ち、上方部位（２）と下方部位（３）が枢支部材（７）を介して連係されるのである。
次に下方部位（３）の表面に設けた縮小警棒を収納する円筒形状のポケットを縫着形成する。更に該ポケットの上部へ収納した警棒の落脱を防止するため係止用帯体を回動自在に鋲着して構成したものである。
【０００７】
【考案の効果】
上述のように構成したことによつて、従来存しなかった使い勝手が良く、極めて利便性に勝れた効果を有するものである。
【図面の簡単な説明】
【図１】本考案の伸縮警棒用半回動ケースの一部を省略した正面説明図である。
【図２】本考案の伸縮警棒用半回動ケースの一部を断面で表した側面説明図である。
【符号の説明】
１…伸縮警棒用ケース
２…ケース体の上方部位
３…ケース体の下方部位
４…上方部位の最上部
５…ベルト通し
６…上方部位の下端部
７…枢支部材
８…下方部位の上端部。
【図１】
0003099053.tif 000003
【図２】
0003099053.tif 000004
【手続補正書】
【提出日】平成15年8月15日(2003.8.15)
【手続補正１】
【補正対象書類名】明細書
【補正対象項目名】全文
【補正方法】変更
【補正の内容】
【考案の詳細な説明】
【実用新案登録請求の範囲】
【請求項１】伸縮警棒の収納ケースであって、
警棒を縮小し携帯収納するケースの上部を開口し、下部を先細とし底部を閉塞した警棒挿嵌部と該ケース体を腰のベルトに挿入固定するベルト拘持部とに分割して形成し、該警棒挿嵌部とベルト拘持部とをセンターピンを介挿し支承して段階状に半回動自在に合着して構成した警棒用半回動ケース。
【考案の詳細な説明】
【０００１】
【考案の属する技術分野】
本考案は要人の警護、保安任務等に携わる警備要員が携帯して自己の身体を護るために用いる警棒の携帯用ケースに関する。
【０００２】
【従来の技術】
従来から、この種のケース（容器）は、数多く開発され使用されている、又本出願人が意匠登録第７７２０５６号、特願平５−１７１９７４号等で開示し、現在広く使用されていることは周知である。
【０００３】
【考案が解決しようとする課題】
上述のように従来のケース体においては、警棒を縮小し身体の腰のベルトに挿着、或いは私服の場合等にあっては拳銃と同様に上衣の下部の襷掛けケースに収納されて用いられている。
【０００４】
上記の状態においては何らの課題も存しないのであるが前述の如く警棒の使用者が腰のベルトに装着しての歩行中或いは立番の場合等には何等の問題も存しないのであるが、例えば緊急自動車等に乗車時、つまり腰を下ろした状態においては、警棒ケースの長手方向の下方部が座席の表面に当接し、極めて座り心地が悪く、長時間の乗車時にあっては、該警棒を抜脱する等の課題を有した。
【０００５】
【課題を解決するための手段】
上述のように広汎に用いられている伸縮警棒用ケースを現況のように垂直方向に固定された状態で使用する或いは着席時に抜脱することなく当該警棒用ケースを水平方向に半回動させることによって使い勝手の良い伸縮警棒用ケースを得ることを手段とするものである。
【０００６】
【実施例】
以下、添付図面に基づいて一実施例を説明する。
図１に実線で示すように、本件伸縮警棒用ケース（１）は使用者の腰のベルトに挿着して用いられる為に垂直方向にベルトに固着されていた。
本考案の警棒用半回動ケース体にあっては、同図に破線（点線）及び実線で示すように段階的に半回動する構成としたものであり、回動する状態を説明のため表した一部を省略した正面説明図である。
図２は、当該ケース体の警棒挿嵌部（２）とベルト拘持部（３）とが合着した状態の側面を断面で表した説明図である。
警棒挿嵌部（２）の上部位の裏面に金属製の挿嵌部板体（４）の表面に凹部を五カ所に亙って設け、該板体の中央部にセンターピン（５）を介挿するピン孔を貫設して固定する。
次にベルト拘持部（３）の下部位表面に上記警棒挿嵌部（４〉板体と同様の金属製板体の表面の中央部にセンターピン（５）を介挿するピン孔を貫挿するピン孔を貫設し、上記挿嵌部板体（４）に設けた凹部と同一部位に凸部を設けて固着する。
ベルト拘持部（３）と警棒挿嵌部（４〉の両金属板を相対させ両中央部の貫通孔へセンターピンを挿入して摺動自在に鋲着して構成したものである。
【０００７】
【考案の効果】
上述のように構成したことによって、ベルト拘持部（３）と警棒挿嵌部（４〉がセンターピンを介して合体し、該警棒が垂直状態に収納されている場合は両金属板を貫通したセンターピンの直下に設けた凹凸部に嵌合して係止し、該センターピンの両サイドに設けた凹凸部に嵌合した場合は左右の水平方向に係止し、更に斜方向で係止するものであって、従来存しなかった使い勝手が良く、極めて利便性に優れた効果を有するものである。
【図面の簡単な説明】
【図１】本考案の伸縮警棒用半回動ケースの一部を省略した正面説明図である。
【図２】本考案の伸縮警棒用半回動ケースの一部を断面で表した側面説明図である。
【符号の説明】
１…伸縮警棒用ケース
２…ケース体の警棒挿嵌部
３…ケース体のベルト拘持部
４…金属製の板体
５…センターピン。
【手続補正２】
【補正対象書類名】図面
【補正対象項目名】全図
【補正方法】変更
【補正の内容】
【図１】
0003099053.tif 000005
【図２】
0003099053.tif 000006